(57)【特許請求の範囲】
【請求項１】
底壁と対向する開口部を有するとともに前記底壁から前記開口部に向かって延びる側壁を有するケース本体と、
前記ケース本体に収容され、活物質層を有する正極シートと活物質層を有する負極シートがセパレータを介在させた層状の構造を有する電極組立体と、
前記ケース本体の開口部を塞ぐ蓋体と、を備え、
前記ケース本体は、前記電極組立体の積層方向に垂直な内壁面と、前記電極組立体の積層方向に平行な内壁面と、前記垂直な内壁面及び平行な内壁面のうち、互いに隣接する内壁面同士を繋ぐコーナ面と、を有し、
前記正極シートと前記負極シートの間に介在されるセパレータは、前記正極シートを挟む第１セパレータと第２セパレータからなり、
前記第１セパレータは、前記正極シートの一方の面を覆い、かつ前記正極シートの前記活物質層のエッジよりも外側にはみ出す第１はみ出し部を有し、
前記第２セパレータは、前記正極シートの他方の面を覆い、かつ前記第１はみ出し部と同じ方向にはみ出す第２はみ出し部を有し、
前記垂直な内壁面と前記コーナ面との境界線を通り、前記平行な内壁面に面する面を仮想境界面と規定したときに、
前記第１はみ出し部と前記第２はみ出し部は、前記第１セパレータと前記第２セパレータとで前記正極シートを挟んだ状態において、前記電極組立体の積層方向に平行な内壁面と当該平行な内壁面に面する前記正極シートの前記活物質層のエッジとの距離が、前記平行な内壁面と前記内壁面に面する前記仮想境界面までの面間長さ以上となる位置で接合されており、
前記負極シートと前記セパレータは、幅方向の長さが同一長さであることを特徴とする蓄電装置。
【請求項２】
底壁と対向する開口部を有するとともに前記底壁から前記開口部に向かって延びる側壁を有するケース本体と、
前記ケース本体に収容され、活物質層を有する正極シートと活物質層を有する負極シートがセパレータを介在させた層状の構造を有する電極組立体と、
前記ケース本体の開口部を塞ぐ蓋体と、を備え、
前記ケース本体は、前記電極組立体の積層方向に垂直な内壁面と、前記電極組立体の積層方向に平行な内壁面と、前記垂直な内壁面及び平行な内壁面のうち、互いに隣接する内壁面同士を繋ぐコーナ面と、を有し、
前記正極シートと前記負極シートの間に介在されるセパレータは、前記正極シートを挟む第１セパレータと第２セパレータからなり、
前記第１セパレータは、前記正極シートの一方の面を覆い、かつ前記正極シートの前記活物質層のエッジよりも外側にはみ出す第１はみ出し部を有し、
前記第２セパレータは、前記正極シートの他方の面を覆い、かつ前記第１はみ出し部と同じ方向にはみ出す第２はみ出し部を有し、
前記垂直な内壁面と前記コーナ面との境界線を通り、前記平行な内壁面に面する面を仮想境界面と規定したときに、
前記第１はみ出し部と前記第２はみ出し部は、前記第１セパレータと前記第２セパレータとで前記正極シートを挟んだ状態において、前記電極組立体の積層方向に平行な内壁面と当該平行な内壁面に面する前記正極シートの前記活物質層のエッジとの距離が、前記平行な内壁面と前記内壁面に面する前記仮想境界面までの面間長さ以上となる位置で接合されており、
前記負極シートのエッジと前記セパレータのエッジは、同一位置に位置していることを特徴とする蓄電装置。
【請求項３】
前記第１セパレータと前記第２セパレータは四角シート状であり、前記正極シートの前記活物質層において対向し合う前記エッジよりも外側にはみ出す前記第１はみ出し部と前記第２はみ出し部が接合されている請求項１又は請求項２に記載の蓄電装置。
【請求項４】
前記第１セパレータと前記第２セパレータは四角シート状であり、前記正極シートの前記活物質層の各エッジよりも外側にはみ出す前記第１はみ出し部と前記第２はみ出し部が接合されている請求項１又は請求項２に記載の蓄電装置。
【請求項５】
前記正極シートの活物質層のエッジのうち１つのエッジ側には、前記電極組立体との間で電気を授受する電極端子と電気的に接続される集電タブが位置しており、
前記第１セパレータと前記第２セパレータは四角シート状であり、前記正極シートの前記活物質層の各エッジよりも外側にはみ出す前記第１はみ出し部と前記第２はみ出し部とが前記集電タブと重ならない位置で接合されている請求項１又は請求項２に記載の蓄電装置。
【請求項６】
前記ケース本体は、有底四角筒状で、かつ前記開口部から前記底壁に向かって延びる４つの側壁を有し、
隣り合う側壁同士、及び各側壁と前記底壁は、それぞれ角部で繋がっており、
前記側壁同士を繋ぐ角部は、前記開口部から前記底壁に向かって延びるとともに、その延びる方向に垂直な断面においてＲ形状をしたＲ部であり、
前記各側壁と前記底壁を繋ぐ角部は、前記底壁の各周縁に沿って延びるとともに、その延びる方向に垂直な断面においてＲ形状をしたＲ部である請求項１〜請求項５のいずれか一項に記載の蓄電装置。
【請求項７】
請求項１〜請求項６のいずれか一項に記載の蓄電装置の構成を備えた二次電池。
【発明の詳細な説明】
【技術分野】
【０００１】
本発明は、蓄電装置及び二次電池に関する。
【背景技術】
【０００２】
二次電池やキャパシタのような蓄電装置は再充電が可能であり、繰り返し使用することができるため電源として広く利用されている。一般に、容量の大きな蓄電装置は電極組立体を収容するケースを備え、そのケース内に電極組立体が収容されている。そして、電極組立体からの電力の取り出しは、正極及び負極に接続された電極端子を通して行われている。
【０００３】
二次電池のケースは、金属製の有底四角筒状のケース本体に金属製の蓋を溶接で固着する構造が一般的である。そして、ケース本体は金属板の絞り加工により形成されるため、ケース本体の四隅は直角ではなく例えば、Ｒ部（円弧部）のような角部となっている。また、底部の周縁部も角部となる。そのため、矩形状の正極シート及び負極シートがセパレータを挟んで交互に積層された構成の積層型の電極組立体の場合は、電極組立体の端面とケース本体の内面との間に空間が存在する場合がある。
【０００４】
このような空間が存在する状態で積層型の電極組立体をケース本体内に収容した場合は、二次電池を車両に搭載した使用状態で、振動により層間（電極シートとセパレータ間）で位置ずれが発生して電池性能の劣化に繋がる。また、ケース本体との短絡の虞もある。また、ケース本体が、電極組立体を積層方向に挿入する構造の場合は、電極組立体の挿入の際に電極組立体の層間でのずれが発生し易い。
【０００５】
従来、密閉型鉛電池において、図１７に示すように、極板群６５の同じ側の端部に正極板端子部６６及び負極板端子部６７が突出するように構成された電極組立体を、有底四角筒状のケース本体（電槽）６０に、スペーサ６８を極板群６５の側面に着接した状態で収容する構成が開示されている。
【先行技術文献】
【特許文献】
【０００６】
【特許文献１】特開２００１−８５０４６号公報
【発明の概要】
【発明が解決しようとする課題】
【０００７】
特許文献１では、スペーサ６８が極板群６５の側面、即ち積層された層の端面と、ケース本体６０の内面との間に存在する状態となるため、電極組立体を構成する電極シートの位置ずれやケース本体６０との短絡は防止される。ところが、特許文献１では、ケース本体６０の角部（例えば、Ｒ部）を考慮していない。そのため、スペーサ６８はケース本体６０の角部と対向する位置において角部の形状に倣って変形し、電極組立体を構成する極板群６５や正極シート、負極シート及びセパレータの角部と対向する部分に局所的に圧力が加わる状態となり、電池性能の劣化に繋がる。例えば、リチウムイオン電池の場合は特に正極シートに局所的に圧力が加わった部分でリチウムが析出して、電池の機能を果たさなくなる。また、二次電池に限らず、電気二重層キャパシタやリチウムイオンキャパシタ等のようなキャパシタにおいても同様である。
【０００８】
本発明は、前記の問題に鑑みてなされたものであって、その目的は、電極シートに無理な力が加わるのを防止することができる蓄電装置及び二次電池を提供することにある。
【課題を解決するための手段】
【０００９】
前記の目的を達成するために、請求項１及び請求項２に記載の発明は、底壁と対向する開口部を有するとともに前記底壁から前記開口部に向かって延びる側壁を有するケース本体と、前記ケース本体に収容され、活物質層を有する正極シートと活物質層を有する負極シートがセパレータを介在させた層状の構造を有する電極組立体と、前記ケース本体の開口部を塞ぐ蓋体と、を備え、前記ケース本体は、前記電極組立体の積層方向に垂直な内壁面と、前記電極組立体の積層方向に平行な内壁面と、前記垂直な内壁面及び平行な内壁面のうち、互いに隣接する内壁面同士を繋ぐコーナ面と、を有し、前記正極シートと前記負極シートの間に介在されるセパレータは、前記正極シートを挟む第１セパレータと第２セパレータからなり、前記第１セパレータは、前記正極シートの一方の面を覆い、かつ前記正極シートの前記活物質層のエッジよりも外側にはみ出す第１はみ出し部を有し、前記第２セパレータは、前記正極シートの他方の面を覆い、かつ前記第１はみ出し部と同じ方向にはみ出す第２はみ出し部を有し、前記垂直な内壁面と前記コーナ面との境界線を通り、前記平行な内壁面に面する面を仮想境界面と規定したときに、前記第１はみ出し部と前記第２はみ出し部は、前記第１セパレータと前記第２セパレータとで前記正極シートを挟んだ状態において、前記電極組立体の積層方向に平行な内壁面と当該平行な内壁面に面する前記正極シートの前記活物質層のエッジとの距離が、前記平行な内壁面と前記内壁面に面する前記仮想境界面までの面間長さ以上となる位置で接合されている。
【００１０】
これらの発明では、正極シートを挟むセパレータの接合位置によって、正極シートの活物質層のエッジを、仮想境界面の面上、又は仮想境界面の位置よりも電極組立体の積層方向に平行な内壁面から離れた領域に位置させることができる。このため、正極シートのエッジがコーナ面に乗り上げてしまうことを抑制し、電極シートとしての正極シートに無理な力が加わるのを防止することができる。
特に、請求項１に記載の発明は、前記負極シートと前記セパレータは、幅方向の長さが同一長さである。また、請求項２に記載の発明は、前記負極シートのエッジと前記セパレータのエッジは、同一位置に位置している。これらの発明では、正極シート、負極シート、及びセパレータのずれを抑制することができる。
【００１９】
請求項３に記載の発明は、請求項１又は請求項２に記載の発明において、前記第１セパレータと前記第２セパレータは四角シート状であり、前記正極シートの前記活物質層において対向し合う前記エッジよりも外側にはみ出す前記第１はみ出し部と前記第２はみ出し部が接合されている。
【００２０】
請求項４に記載の発明は、請求項１又は請求項２に記載の発明において、前記第１セパレータと前記第２セパレータは四角シート状であり、前記正極シートの前記活物質層の各エッジよりも外側にはみ出す前記第１はみ出し部と前記第２はみ出し部が接合されている。
【００２１】
請求項５に記載の発明は、請求項１又は請求項２に記載の発明において、前記正極シートの活物質層のエッジのうち１つのエッジ側には、前記電極組立体との間で電気を授受する電極端子と電気的に接続される集電タブが位置しており、前記第１セパレータと前記第２セパレータは四角シート状であり、前記正極シートの前記活物質層の各エッジよりも外側にはみ出す前記第１はみ出し部と前記第２はみ出し部とが前記集電タブと重ならない位置で接合されている。これらの請求項３〜請求項５の発明では、正極シートを挟むセパレータの接合により、正極シートのずれを抑制でき、正極シートの活物質層のエッジの位置を所望の位置とすることができる。
【００２３】
請求項６に記載の発明は、請求項１〜請求項５のいずれか一項に記載の発明において、前記ケース本体は、前記有底四角筒状で、かつ前記開口部から前記底壁に向かって延びる４つの側壁を有し、隣り合う側壁同士、及び各側壁と前記底壁は、それぞれ角部で繋がっており、前記側壁同士を繋ぐ角部は、前記開口部から前記底壁に向かって延びるとともに、その延びる方向に垂直な断面においてＲ形状をしたＲ部であり、前記各側壁と前記底壁を繋ぐ角部は、前記底壁の各周縁に沿って延びるとともに、その延びる方向に垂直な断面においてＲ形状をしたＲ部である。この発明では、ケース本体を金属板の絞り加工により、一工程で製造することができ、工数が小さくなる。
【００２４】
請求項７に記載の発明は、請求項１〜請求項６のいずれか一項に記載の蓄電装置の構成を備えた二次電池である。したがって、この発明の二次電池は請求項１〜請求項６のいずれか一項に記載の発明の効果を有する。
【発明の効果】
【００２５】
この発明によれば、電極シートに無理な力が加わるのを防止することができる。
【図面の簡単な説明】
【００２６】
【図１】（ａ）は第１の実施形態の二次電池の概略断面図、（ｂ）は二次電池をケースの底壁と平行な面で切断した模式断面図、（ｃ）は（ｂ）の部分拡大図。
【図２】（ａ）はケース本体の一部破断斜視図、（ｂ）は電極組立体の概略斜視図。
【図３】第２の実施形態のケース本体、電極組立体及び蓋体の概略分解斜視図。
【図４】二次電池を電極端子の突出方向と直交する平面で切断した模式断面図。
【図５】第３の実施形態の正極シート、負極シート、及びセパレータを示す斜視図。
【図６】正極シート、負極シート及びセパレータを重ねた状態を示す正面図。
【図７】第３の実施形態の二次電池をケースの底壁と平行な面で切断した模式断面図。
【図８】第３の実施形態の二次電池をケースの底壁と垂直な面で切断した模式断面図。
【図９】別の実施形態の二次電池の図１（ａ）に対応する概略断面図。
【図１０】別の実施形態の二次電池の概略部分断面図。
【図１１】別の実施形態のケース本体の一部破断斜視図。
【図１２】（ａ），（ｂ），（ｃ）は別の実施形態のスペーサの形状を示す部分模式断面図。
【図１３】別の実施形態における捲回型の電極組立体を示す斜視図。
【図１４】捲回型の電極組立体をケースに収容した二次電池をケースの底壁と垂直な面で切断した模式断面図。
【図１５】別の実施形態における円筒型の二次電池の外観を示す斜視図。
【図１６】円筒型の二次電池をケース本体の底壁と垂直な面で切断した模式断面図。
【図１７】従来技術を示す概略斜視図。
【発明を実施するための形態】
【００２７】
（第１の実施形態）
以下、本発明を二次電池に具体化した第１の実施形態を図１及び図２にしたがって説明する。
【００２８】
図１（ａ）に示すように、蓄電装置としての二次電池１０は、ケース本体１１内に、積層型の電極組立体１２が収容されている。
ケース本体１１は、有底四角筒状で、開口部１１ａから底壁１１ｂに向かって延びる四隅が図１（ｂ），（ｃ）に示すように、四隅の延びる方向に垂直な断面においてＲ形状をしたＲ部（円弧部）１３に形成されている。また、図２（ａ）に示すように、ケース本体１１は、底壁１１ｂの各周縁も各周縁の延びる方向に垂直な断面においてＲ形状をしたＲ部１３に形成されている。即ち、ケース本体１１は底壁１１ｂ及び４枚の側壁１１ｃのそれぞれ隣り合う角部としての隅部がいずれもＲ部１３となるように形成されている。ケース本体１１は、金属板、例えば、アルミニウム合金板の絞り加工により形成される。この実施形態のケース本体１１では、側壁１１ｃにおいてケース本体１１の内側に位置する内壁面Ｋのうち隣り合う内壁面Ｋ同士が、Ｒ部１３においてケース本体１１の内側に位置する壁面であるコーナ面Ｃで繋がっている。また、この実施形態のケース本体１１では、各側壁１１ｃの内壁面Ｋと、底壁１１ｂにおいてケース本体１１の内側に位置する内壁面Ｋとが、コーナ面Ｃで繋がっている。
【００２９】
ケース本体１１の開口部１１ａは、蓋体１４で塞がれ、蓋体１４は溶接によりケース本体１１に固着されている。
図１（ｂ）に示すように、電極組立体１２は、複数枚の正極シート１５及び複数枚の負極シート１６が、正極シート１５と負極シート１６との間にシート状のセパレータ１７が存在する状態で交互に積層されて層状の構造を有する。即ち、電極組立体１２は、正極シート１５及び負極シート１６がシート状のセパレータ１７を間に挟んだ状態で積層された積層型の電極組立体である。なお、図１（ｂ）は電極組立体１２の構成を分かり易くするため模式的に描いたものであり、実際は、正極シート１５及び負極シート１６の枚数は数十枚以上であり、各部の寸法の比率も実際のものと異なる。
【００３０】
図１（ａ）及び図２（ｂ）に示すように、正極シート１５及び負極シート１６は、金属箔に図示しない活物質が塗布された活物質層を有する部分が矩形状に形成され、活物質層が形成された部分からタブ部１５ａ，１６ａが突出形成されている。正極シート１５における集電タブとしてのタブ部１５ａには、電極組立体１２との間で電気を授受する電極端子としての正極用集電端子１８が溶接で接続されている。負極シート１６における集電タブとしてのタブ部１６ａには、電極組立体１２との間で電気を授受する電極端子としての負極用集電端子１９が溶接で接続されている。正極用集電端子１８は、蓋体１４を貫通する二次電池１０の正極端子２０と一体に形成されている。負極用集電端子１９は、蓋体１４を貫通する二次電池１０の負極端子２１と一体に形成されている。正極端子２０及び負極端子２１は雄ねじ部２０ａ，２１ａを有し、蓋体１４に形成された孔（図示せず）を貫通した状態で、蓋体１４との間に電気的絶縁材製のシールリング２２が介在する状態で雄ねじ部２０ａ，２１ａに螺合するナット２３を介して蓋体１４に締め付け固定されている。なお、図１（ａ）では、蓋体１４の下面との間に介在するシールリング２２は、図示を省略している。また、雄ねじ部２０ａ，２１ａにはそれぞれナット２３が２個ずつ螺合しているが、下側のナット２３が正極端子２０及び負極端子２１を蓋体１４に締結するためのナットであり、上側のナット２３は、図示しない電力取り出し用の配線の端部を下側のナット２３と共同して固定する役割を果たすためのものである。
【００３１】
ケース本体１１の開口部１１ａ側（図１（ａ）の上部側）には、ケース本体１１上部における正極用集電端子１８及び負極用集電端子１９の配設スペースを確保するとともに位置決めを行うための電気的絶縁材製の位置決め部材２４（図１（ａ）に２点鎖線で図示）が設けられている。正極用集電端子１８及び負極用集電端子１９は、位置決め部材２４により二次電池１０内の所定位置に位置決めされた状態で配置され、その状態で正極端子２０及び負極端子２１は、ナット２３により締め付け固定されている。そして、電極組立体１２は、電解液と共に二次電池１０を構成する。
【００３２】
この実施形態の二次電池１０は、電極組立体１２の配置が、正極シート１５、負極シート１６及びセパレータ１７の積層方向（以下、単に積層方向と記載する場合は、この積層方向の意味で記載する。）がケース本体１１の開口部１１ａから底壁１１ｂに向かう方向と直交する方向に形成されている。
【００３３】
図１（ａ），（ｂ）に示すように、電極組立体１２の端面のうち、正極シート１５や負極シート１６の積層方向と平行で、かつ開口部１１ａ及び底壁１１ｂと直交する方向と平行な端面１２ａと、該端面１２ａと対向するケース本体１１の内壁面Ｋ、即ち電極組立体１２の厚さ方向と平行な側壁１１ｃとの間に、スペーサ２５が介装されている。スペーサ２５は樹脂製で、ケース本体１１の底壁１１ｂと電極組立体１２との間に介装される延長部としてのスペーサ２５ｂを有し、延長部がスペーサ２５に連続して形成されている。
【００３４】
スペーサ２５は、電極組立体１２の端面１２ａと当接する当接面２６の積層方向の幅が電極組立体１２の厚さ以上で、当接面２６に直交する方向（図１（ｂ）における左右方向）における当接面２６の位置が、ケース本体１１における側壁１１ｃの内壁面Ｋのうち積層方向に垂直な内壁面Ｋの平面部とコーナ面Ｃとの境界の位置と同じ位置か、境界の位置よりも平面部側に位置する。この平面部は、図１（ｂ）において、左右方向に延びる側壁１１ｃの平面部を意味する。また、Ｒ部１３の位置にはスペーサ２５のコーナ面Ｃ側の面がコーナ面Ｃに沿った形状をした面取り部またはスペーサ２５のコーナ面Ｃ側の面の少なくとも一部がコーナ面Ｃから離間した面取り部が形成されている。即ち、スペーサ２５は、当接面２６からケース本体１１の内壁面Ｋのコーナ面Ｃ以外の箇所までの距離ＬがＲ部１３の曲率半径Ｒ以上を有し、かつＲ部１３と対応する部分がＲ部１３と干渉しない形状に形成されている。Ｒ部１３と干渉しない形状とは、Ｒ部１３の曲面（コーナ面Ｃ）と接触しないか、接触しても接触する部分が変形するような力をＲ部１３から受けない状態となる形状を意味する。
【００３５】
この実施形態では、スペーサ２５は、厚さが当接面２６からケース本体１１の側壁１１ｃの内壁面ＫのＲ部１３以外の箇所までの距離Ｌと同じに、即ち、当接面２６に直交する方向における当接面２６の位置が、ケース本体１１の内壁面Ｋのうち積層方向に垂直な内壁面Ｋの平面部とコーナ面Ｃとの境界の位置と同じ位置に形成されている。また、スペーサ２５を積層方向と直交する状態で厚さ方向に切断した断面形状が、Ｒ部１３と対向する部分の外形線が直線となるように形成されている。即ち、Ｒ部１３の位置にはスペーサ２５のコーナ面Ｃ側の面の全部がコーナ面Ｃから離間した面取り部が形成されている。詳述すると、スペーサ２５は、図１（ｂ）に示すように、側壁１１ｃと対向する部分の断面形状が台形で、コーナ面Ｃと対向する部分がテーパ面となるように形成されている。また、底壁１１ｂと対向するスペーサ２５ｂの断面形状も同様な形状、即ち台形で、コーナ面Ｃと対向する部分がテーパ面となるように形成されている。そして、厚さはＲ部１３の曲率半径Ｒと同じに形成されている。
【００３６】
この実施形態において、電極組立体１２の積層方向に垂直な内壁面Ｋとコーナ面Ｃとの境界線を通り、電極組立体１２の積層方向に平行な内壁面Ｋに面する面を仮想境界面Ｆと規定する。この場合、電極組立体１２の端面１２ａと電極組立体１２の厚さ方向と平行な側壁１１ｃとの間に介装されるスペーサ２５の当接面２６は、仮想境界面Ｆの面上に位置している。なお、前記垂直な内壁面Ｋとコーナ面Ｃとの境界線の位置は、電極組立体１２の積層方向に垂直な内壁面ＫとＲ部１３（コーナ面Ｃ）の境界の位置となる。
【００３７】
そして、当接面２６には、正極シート１５の活物質層のエッジ、負極シート１６の活物質層のエッジ、及びセパレータのエッジからなる電極組立体１２の端面１２ａが当接する。つまり、図１（ｂ）に示すように、正極シート１５の活物質層のエッジＥは、スペーサ２５の当接面２６に当接していることで、仮想境界面Ｆの面上に位置している。
【００３８】
また、ケース本体１１は、図１（ａ），（ｂ）に示すように、電極組立体１２の積層方向に平行な内壁面Ｋを有する側壁１１ｃを２つ有し、これらの２つの側壁１１ｃは電極組立体１２の積層方向に直交する方向で対向し合う。そして、スペーサ２５は、電極組立体１２の端面１２ａと２つの側壁１１ｃとの間にそれぞれ介装されるとともに、それぞれのスペーサ２５の当接面２６に正極シート１５の活物質層のエッジＥが当接している。このため、複数ある正極シート１５の活物質層のエッジＥのうち、電極組立体１２の積層方向に平行な内壁面Ｋに面し、互いに対向するエッジＥは、それぞれが仮想境界面Ｆの面上に位置している。
【００３９】
また、仮想境界面Ｆの面上に位置する正極シート１５の活物質層のエッジＥのエッジ間長さＸは、これらのエッジＥが面する電極組立体１２の積層方向に平行な内壁面Ｋの面間長さＹから、内壁面Ｋと仮想境界面Ｆまでの面間長さＷの合計を減算した長さである。この減算後の長さは、この実施形態における正極シート１５の幅長さとなる。この実施形態における面間長さＷは、Ｒ部１３の曲率半径Ｒに等しい。
【００４０】
次に前記のように構成された二次電池１０の組立方法を説明する。
正極シート１５、負極シート１６及びセパレータ１７を所定枚数積層後、正極シート１５のタブ部１５ａに正極用集電端子１８を溶接で接続し、負極シート１６のタブ部１６ａに負極用集電端子１９を溶接で接続して電極組立体１２を形成する。次に、電極組立体１２を両端面１２ａにおいて挟み、かつスペーサ２５ｂが図１（ａ）における電極組立体１２の下端面に当接するように一対のスペーサ２５を配置し、その状態で電極組立体１２をタブ部１５ａ，１６ａの突出側と反対側から、ケース本体１１内に開口部１１ａから挿入する。電極組立体１２は、ケース本体１１の側壁１１ｃと対向する両端面１２ａにスペーサ２５が、底壁１１ｂと対向する端面の両端寄りにスペーサ２５ｂが当接する状態で、即ち電極組立体１２の挿入時に電極組立体１２の前端の両側及び両側面がスペーサ２５，２５ｂに覆われた状態で移動してケース本体１１内に挿入される。そのため、正極シート１５、負極シート１６及びセパレータ１７の位置ずれが防止された状態でケース本体１１内に円滑に挿入される。ケース本体１１の底壁１１ｂと対向するスペーサ２５ｂが底壁１１ｂと当接する所定位置まで挿入した後、位置決め部材２４をケース本体１１の上部両側の所定位置に配置して、正極用集電端子１８及び負極用集電端子１９の位置決めを行う。その状態で蓋体１４を、正極端子２０及び負極端子２１の雄ねじ部２０ａ，２１ａが蓋体１４の孔を貫通するようにケース本体１１の開口部１１ａを覆う位置に配置し、溶接によりケース本体１１に固着する。その後、正極端子２０及び負極端子２１の雄ねじ部２０ａ，２１ａにシールリング２２を遊嵌した後、ナット２３で正極端子２０及び負極端子２１を蓋体１４に締め付け固定する。その後、図示しない注入口から電解液をケース本体１１に注入して二次電池１０が完成する。
【００４１】
次に前記のように構成された二次電池１０の作用を説明する。
二次電池１０は、単体でも使用されるが、一般には複数の二次電池１０が直列あるいは並列に接続されて構成された組電池として使用される。そして、二次電池１０は種々の用途に使用されるが、例えば、車両に搭載されて走行用モータの電源や他の電気機器の電源としても使用される。
【００４２】
二次電池１０が車両に搭載されて使用された場合、車両の振動が二次電池１０に加わる。スペーサ２５，２５ｂがなく、電極組立体１２の端面１２ａとケース本体１１の壁面との間に隙間が存在すると、正極シート１５や負極シート１６がずれて、電池性能が劣化したり、ケース本体１１との短絡が生じたりする虞がある。しかし、この実施形態では、スペーサ２５，２５ｂが存在するため、電極組立体１２を構成する正極シート１５、負極シート１６及びセパレータ１７がずれ難くなる。また、スペーサ２５ｂが存在しなくても、一対のスペーサ２５の作用により正極シート１５や負極シート１６のずれは防止されるが、スペーサ２５ｂが存在しないと、正極用集電端子１８や負極用集電端子１９に溶接されているタブ部１５ａ，１６ａに無理な力が加わる。しかし、スペーサ２５ｂが存在することにより、タブ部１５ａ，１６ａに無理な力が加わることが防止される。
【００４３】
この実施形態によれば、以下に示す効果を得ることができる。
（１）蓄電装置としての二次電池１０は、有底四角筒状で、かつ少なくとも開口部１１ａから底壁１１ｂに向かって延びる四隅が四隅の延びる方向に垂直な断面においてＲ形状をしたＲ部１３に形成されたケース本体１１と、ケース本体１１内に収容され、正極シート１５及び負極シート１６がシート状のセパレータ１７を間に挟んだ状態で積層された積層型の電極組立体１２と、開口部１１ａを塞ぐ蓋体１４とを備えている。二次電池１０は、電極組立体１２の端面のうち、正極シート１５、負極シート１６及びセパレータ１７の積層方向と平行で、かつ開口部１１ａ及び底壁１１ｂと直交する方向と平行な端面１２ａと、端面１２ａと対向するケース本体１１の壁面との間に介装されたスペーサ２５を備える。そして、スペーサ２５は、電極組立体１２の端面１２ａと当接する当接面２６の積層方向の幅が電極組立体１２の厚さ以上で、当接面２６に直交する方向（図１（ｂ）における左右方向）における当接面２６の位置が、ケース本体１１の壁面（側壁１１ｃ）のうち積層方向に垂直な壁面の平面部とＲ部１３との境界の位置と同じ位置か、境界の位置よりも平面部側に位置する。また、Ｒ部１３の位置にはスペーサ２５のＲ部１３側の面がＲ部１３に沿った形状をした面取り部またはスペーサ２５のＲ部１３側の面の少なくとも一部がＲ部１３から離間した面取り部が形成されている。したがって、正極シート１５及び負極シート１６に無理な力が加わるのを防止することができる。二次電池１０をリチウムイオン電池とした場合は、特に正極シート１５に局所的に圧力が加わることによるリチウムの析出を抑制することができる。
【００４４】
そして、この効果（１）は、正極シート１５のエッジＥの位置が、仮想境界面Ｆの面上に位置することによって生じる効果でもある。この構成によれば、正極シート１５がＲ部１３（コーナ面Ｃ）に乗り上げてしまうことを抑制し、電極シートとしての正極シート１５に無理な力が加わるのを防止することができる。また、実施形態の構成によれば、スペーサ２５が介装されることにより、電極組立体１２を構成する正極シート１５、負極シート１６及びセパレータ１７のずれを防止することもできる。
【００４５】
（２）ケース本体１１は、底壁１１ｂの各周縁も各周縁の延びる方向に垂直な断面においてＲ形状をしたＲ部１３に形成されている。したがって、ケース本体１１を金属板の絞り加工により、一工程で製造することができ、工数が小さくなる。
【００４６】
（３）電極組立体１２は、正極シート１５、負極シート１６及びセパレータ１７の積層方向がケース本体１１の開口部１１ａから底壁１１ｂに向かう方向と直交する方向である。そのため、スペーサ２５が存在しない場合は、電極組立体１２のケース本体１１への挿入作業時に、正極シート１５あるいは負極シート１６とセパレータ１７との位置ずれが発生し易い。しかし、スペーサ２５の当接面２６が電極組立体１２の両端面１２ａに当接する状態で電極組立体１２をケース本体１１に挿入することにより、位置ずれの発生が防止された状態で容易に挿入することができる。
【００４７】
（４）スペーサ２５は、ケース本体１１の底壁１１ｂと電極組立体１２との間に介装される延長部（スペーサ２５ｂ）を有し、延長部がスペーサ２５に連続して形成されている。したがって、二次電池１０が車両等に搭載されて振動の多い状態で使用される場合、スペーサ２５ｂがない場合に比べて、タブ部１５ａ，１６ａに加わる応力が小さくなって耐久性が向上する。また、スペーサ２５ｂが独立した構成に比べて、部品点数が減るとともに組み付け作業が簡単になる。
【００４８】
（５）スペーサ２５を電極組立体１２の正極シート１５及び負極シート１６の積層方向と直交する状態で厚さ方向に切断した断面形状は、Ｒ部１３と対向する部分の外形線が直線に形成されている。したがって、スペーサ２５の形状を、前記断面形状における外形線の少なくとも一部がＲ部１３の形状に一致するように形成する場合に比べて、製造が簡単になる。
【００４９】
（６）二次電池１０（蓄電装置）は、車両に搭載されて電源として使用される。したがって、車両は、搭載した二次電池１０が有する効果を有する。
（第２の実施形態）
次に第２の実施形態を図３及び図４にしたがって説明する。この実施形態は、ケース本体及び蓋体の形状が第１の実施形態と異なっている。第１の実施形態と同一部分は同一符号を付して詳しい説明を省略する。
【００５０】
図３及び図４に示すように、ケース本体３１は、開口部３１ａが電極組立体１２の正極シート１５、負極シート１６及びセパレータ１７の外形形状より大きな形状に形成されており、電極組立体１２を正極シート１５及び負極シート１６の積層方向に移動させて開口部３１ａからケース本体３１内に挿入可能に形成されている。即ち、電極組立体１２は、正極シート１５及び負極シート１６の積層方向がケース本体３１の開口部３１ａから底壁３１ｂに向かう方向と同じ方向である。
【００５１】
ケース本体３１には、電極組立体１２のタブ部１５ａ，１６ａにそれぞれ接続された正極用集電端子１８及び負極用集電端子１９と一体に形成された正極端子２０及び負極端子２１が貫通される孔３５が形成されている。そして、正極端子２０及び負極端子２１がそれぞれ孔３５及び電気的絶縁材製のシールリング３６を貫通した状態で、雄ねじ部２０ａ，２１ａに螺合するナットによりケース本体３１に締め付け固定される。
【００５２】
蓋体３４は、開口部３１ａより一回り小さく形成されるとともに、ケース本体３１内に収容された電極組立体１２の正極シート１５、負極シート１６及びセパレータ１７をケース本体３１の底壁３１ｂ側へ押圧可能に、電極組立体１２との接触面３４ａが底壁３１ｂ側へ向かって突出する形状に形成されている。そして、接触面３４ａにおいて電極組立体１２を押圧した状態でケース本体３１に溶接で固着されている。
【００５３】
この実施形態のケース本体３１では、底壁３１ｂから開口部３１ａに向かって４つの側壁３１ｃが延びている。ケース本体３１では、底壁３１ｂの内壁面と蓋体３４の内壁面が電極組立体１２の積層方向に垂直な内壁面Ｋとなり、ケース本体３１に電極組立体１２を収容した際に電極組立体１２の端面１２ａに面する側壁３１ｃの内壁面が電極組立体１２の積層方向に平行な内壁面Ｋとなる。また、ケース本体３１では、底壁３１ｂと、電極組立体１２の端面１２ａに面する側壁３１ｃとがＲ部１３で繋がっており、Ｒ部１３においてケース本体３１の内側に位置する壁面がコーナ面Ｃとなる。
【００５４】
この実施形態のケース本体３１では、底壁３１ｂの内壁面Ｋとコーナ面Ｃとの境界線を通り、電極組立体１２の積層方向に平行な内壁面Ｋに面する面を仮想境界面Ｆと規定する。この場合、電極組立体１２の端面１２ａと電極組立体１２の厚さ方向と平行な側壁３１ｃとの間に介装されるスペーサ２５の当接面２６は、仮想境界面Ｆの面上に位置している。また、図４に示すように、複数ある正極シート１５の活物質層のエッジＥうち、電極組立体１２の積層方向に平行な内壁面Ｋに面し、互いに対向するエッジＥは、それぞれが仮想境界面Ｆの面上に位置している。
【００５５】
この実施形態の二次電池１０を組み立てる場合は、タブ部１５ａ，１６ａに正極用集電端子１８及び負極用集電端子１９がそれぞれ溶着された電極組立体１２を、その両端面１２ａにおいて挟むように一対のスペーサ２５（図４にのみ図示）を配置した状態で、電極組立体１２をケース本体３１内に開口部３１ａから挿入する。電極組立体１２は、電極組立体１２を若干傾けた状態で、正極端子２０及び負極端子２１を孔３５に挿通させつつケース本体３１内に挿入する。電極組立体１２をケース本体３１の所定位置に配置した後、電極組立体１２を底壁３１ｂ側に押圧する状態で、蓋体３４をケース本体３１の開口部３１ａ内に挿入した状態でケース本体３１に溶接する。その後、正極端子２０及び負極端子２１の雄ねじ部２０ａ，２１ａに螺合するナットでケース本体３１に締め付け固定する。その後、図示しない注入口から電解液をケース本体３１に注入して二次電池１０が完成する。
【００５６】
この実施形態の二次電池１０は、スペーサ２５が第１の実施形態と同様に機能する。したがって、この実施形態においても、第１の実施形態の（１），（２），（５），（６）と基本的に同様の効果を得ることができる他に次の効果を得ることができる。但し、ケース本体１１をケース本体３１、開口部１１ａを開口部３１ａ、底壁１１ｂを底壁３１ｂにそれぞれ読み替える。
【００５７】
（７）電極組立体１２は、正極シート１５及び負極シート１６の積層方向がケース本体３１の開口部３１ａから底壁３１ｂに向かう方向と同じ方向である。そのため、開口部３１ａの大きさが第１の実施形態に比べて大きく、かつ、開口部３１ａから底壁３１ｂまでの距離、即ち電極組立体１２をケース本体３１に挿入する際に電極組立体１２を移動させる距離が短い。したがって、二次電池１０を組み立てる際に、電極組立体１２をケース本体３１内に挿入する作業が第１の実施形態に比べて簡単になる。
【００５８】
（８）蓋体３４は、電極組立体１２を底壁３１ｂ側へ押圧した状態でケース本体３１に溶接されている。正極シート１５、負極シート１６及びセパレータ１７は、平坦ではなく多少湾曲しているため、単に積層した状態では正極シート１５とセパレータ１７及びセパレータ１７と負極シート１６間に隙間が存在する状態になり、電極組立体１２が嵩高になる。しかし、この実施形態では、蓋体３４により、電極組立体１２を構成する正極シート１５、負極シート１６及びセパレータ１７が押圧されて、無駄な隙間がない状態で電極組立体１２がケース本体３１内に収容される。したがって、例えば、二次電池１０が車両に搭載されて使用される場合、車両の振動が二次電池１０に加わっても、電極組立体１２を構成する正極シート１５、負極シート１６及びセパレータ１７がよりずれ難くなり、かつ正極用集電端子１８や負極用集電端子１９に溶接されているタブ部１５ａ，１６ａに無理な力が加わることが抑制される。また、デッドスペースが低減されて二次電池１０の体積エネルギー密度（容量）が増加する。
【００５９】
（第３の実施形態）
次に第３の実施形態を図５〜図８にしたがって説明する。
なお、第１，第２の実施形態と同一構成については、同一符号を付すなどしてその重複する説明を省略又は簡略する。
【００６０】
図５及び図６に示すように、この実施形態の正極シート１５は、タブ部１５ａを除く部分が矩形状となっており、その部分に矩形状の活物質層としての正極活物質層１５ｂを有する。正極活物質層１５ｂのエッジＡ１，Ａ２，Ａ３，Ａ４のうち、タブ部１５ａ側のエッジＡ１以外のエッジＡ２〜Ａ４は、正極シート１５の金属箔１５ｃの各エッジと同一位置である。エッジＡ２は、タブ部１５ａ側に位置するエッジＡ１とは反対側に位置し、エッジＡ１とは正極シート１５の高さ方向で対向する。エッジＡ３，Ａ４は、エッジＡ１，Ａ２に隣接するとともに正極シート１５の高さ方向に直交する幅方向に位置し、幅方向で対向する。
【００６１】
この実施形態の負極シート１６は、タブ部１６ａを除く部分が矩形状となっており、その部分に矩形状の活物質層としての負極活物質層１６ｂを有する。負極活物質層１６ｂのエッジＢ１，Ｂ２，Ｂ３，Ｂ４のうち、タブ部１６ａ側のエッジＢ１以外のエッジＢ２〜Ｂ４は、負極シート１６の金属箔１６ｃの各エッジと同一位置である。エッジＢ２は、タブ部１６ａ側に位置するエッジＢ１とは反対側に位置し、エッジＢ１とは負極シート１６の高さ方向で対向する。エッジＢ３，Ｂ４は、エッジＢ１，Ｂ２に隣接するとともに負極シート１６の高さ方向に直交する幅方向に位置し、幅方向で対向する。
【００６２】
この実施形態のセパレータ１７は、正極シート１５の両面を覆う大きさで、かつ同一形状の第１セパレータ１７ａと第２セパレータ１７ｂからなる。第１セパレータ１７ａと第２セパレータ１７ｂは、四角シート状である。第１，第２セパレータ１７ａ，１７ｂは、負極シート１６の矩形状の部分と同一形状で、その負極シート１６の矩形状の部分における高さ方向及び幅方向の各長さは同一長さである。この実施形態において負極シート１６及びセパレータ１７は、正極シート１５よりも一回り大きい。図６では、説明の便宜上、負極シート１６と第１，第２セパレータ１７ａ，１７ｂのそれぞれを図示するために、第１，第２セパレータ１７ａ，１７ｂの輪郭を示す実線の内側に、負極シート１６の輪郭を示す二点鎖線を並記しているが、実際には積層方向に重なり合う。
【００６３】
第１，第２セパレータ１７ａ，１７ｂは、正極シート１５を重ねた状態において、正極活物質層１５ｂの各エッジＡ１〜Ａ４よりも外側にはみ出すはみ出し部５０ａ，５０ｂ，５０ｃ，５０ｄを有する。はみ出し部５０ａは、エッジＡ１の外側にはみ出す。はみ出し部５０ａは、エッジＡ１側に位置する金属箔１５ｃのエッジの外側にもはみ出す。はみ出し部５０ｂは、エッジＡ１の反対側のエッジＡ２の外側にはみ出す。はみ出し部５０ｃ，５０ｄは、各エッジＡ１，Ａ２に隣接するエッジＡ３，Ａ４の外側にはみ出す。
【００６４】
第１，第２セパレータ１７ａ，１７ｂは、各はみ出し部５０ａ〜５０ｄ同士が接合部５１で接合されている。例えば、第１，第２セパレータ１７ａ，１７ｂの接合には溶着が用いられる。また、第１，第２セパレータ１７ａ，１７ｂの各はみ出し部５０ａ〜５０ｄは、タブ部１５ａと重ならない位置で接合されている。接合部５１は、タブ部１５ａと重なる位置を除く全周にある。正極シート１５は、接合部５１によって袋状とされた第１，第２セパレータ１７ａ，１７ｂで包まれている。正極シート１５を包んだ状態の第１，第２セパレータ１７ａ，１７ｂのエッジＣ１は、負極シート１６を重ねた状態において、負極活物質層１６ｂのエッジＢ１側に位置する金属箔１６ｃのエッジと重なり合う。第１，第２セパレータ１７ａ，１７ｂのエッジＣ２，Ｃ３，Ｃ４は、負極シート１６を重ねた状態において、負極活物質層１６ｂの各エッジＢ２〜Ｂ４とそれぞれ重なり合う。
【００６５】
図７及び図８に示すように、第１，第２セパレータ１７ａ，１７ｂで包まれた正極シート１５と負極シート１６を交互に積層して構成された電極組立体１２は、ケース本体１１に収容される。電極組立体１２は、積層方向の両最外層に負極シート１６が位置しており、その負極シート１６の間に正極シート１５と負極シート１６が第１，第２セパレータ１７ａ，１７ｂを介在させた状態で積層されている。各正極シート１５の正極活物質層１５ｂ、及び各負極シート１６の負極活物質層１６ｂは、電極組立体１２を収容した状態において、ケース本体１１における電極組立体１２の積層方向に垂直な内壁面Ｋを有する２つの側壁１１ｃに面する。各エッジＡ１，Ｂ１，Ｃ１は、電極組立体１２を収容した状態において蓋体１４の内面に面する。各エッジＡ２，Ｂ２，Ｃ２は、電極組立体１２を収容した状態において底壁１１ｂの内面に面する。各エッジＡ３，Ａ４，Ｂ３，Ｂ４，Ｃ３，Ｃ４は、電極組立体１２を収容した状態において、ケース本体１１における電極組立体１２の積層方向に平行な内壁面Ｋを有する２つの側壁１１ｃに面する。
【００６６】
この実施形態において、電極組立体１２の積層方向に垂直な内壁面Ｋとコーナ面Ｃとの境界線を通り、電極組立体１２の積層方向に平行な内壁面Ｋに面する面を仮想境界面Ｆと規定する。この場合、各正極シート１５のエッジＡ３，Ａ４は、仮想境界面Ｆの面上に位置している。また、仮想境界面Ｆの面上に位置する各正極シート１５のエッジＡ３，Ａ４のエッジ間長さＸは、エッジＡ３，Ａ４が面する電極組立体１２の積層方向に平行な内壁面Ｋの面間長さＹから、内壁面Ｋと仮想境界面Ｆまでの面間長さＷの合計を減算した長さである。この減算後の長さは、この実施形態における正極シート１５の幅となる。この実施形態における面間長さＷは、Ｒ部１３の曲率半径Ｒに等しい。
【００６７】
一方、この実施形態において、各負極シート１６のエッジＢ３，Ｂ４、及び第１，第２セパレータ１７ａ，１７ｂのエッジＣ３，Ｃ４は、電極組立体１２の積層方向に平行な内壁面Ｋに当接する位置にある。このため、各負極シート１６、及び第１，第２セパレータ１７ａ，１７ｂの幅方向の長さは、電極組立体１２の積層方向に平行な内壁面Ｋの面間長さＹに等しい。なお、電極組立体１２は、図７及び図８に示すように、ケース本体１１と電極組立体１２を絶縁する絶縁フィルム５２を介在させた状態で収容されている。このため、各エッジＢ３，Ｂ４，Ｃ３，Ｃ４は、直接的にケース本体１１の側壁１１ｃの内壁面Ｋに接触していないが、絶縁フィルム５２は非常に薄いフィルムであるから、この実施形態において各負極シート１６、及び各第１，第２セパレータ１７ａ，１７ｂの幅方向の長さの規定には絶縁フィルム５２の厚みを考慮していない。
【００６８】
第１，第２セパレータ１７ａ，１７ｂの接合部５１の長さは、内壁面Ｋと仮想境界面Ｆまでの面間長さＷに等しい。これにより、第１，第２セパレータ１７ａ，１７ｂに包まれた正極シート１５は、エッジＡ３，Ａ４が仮想境界面Ｆの面上に位置する。
【００６９】
次に前記のように構成された二次電池１０の作用を説明する。
正極シート１５のエッジＡ３，Ａ４は、仮想境界面Ｆの面上に位置している。このため、電極組立体１２をケース本体１１に収容した場合であっても、正極シート１５のエッジＡ３，Ａ４は、ケース本体１１のＲ部１３に乗り上げることなく、Ｒ部１３とは重ならない状態で位置する。
【００７０】
また、正極シート１５は、第１，第２セパレータ１７ａ，１７ｂで包まれた状態において接合部５１によって移動が規制される。接合部５１の長さは、Ｒ部１３の曲率半径Ｒが考慮されているので、二次電池１０を車両に搭載し、その車両の振動が二次電池１０に伝わっても、エッジＡ３，Ａ４の位置がＲ部１３に乗り上げるような位置まで移動することが規制され、ずれ難い。
【００７１】
したがって、この実施形態によれば、第１の実施形態の効果（１）と同様の効果に加えて、以下に示す効果を得ることができる。
（９）正極シート１５のエッジＡ３，Ａ４を、仮想境界面Ｆの面上に位置させている。このため、正極シート１５がＲ部１３に乗り上げてしまうことを抑制し、正極シート１５に無理な力が加わるのを防止することができる。
【００７２】
（１０）また、負極シート１６のエッジＢ３，Ｂ４及び第１，第２セパレータ１７ａ，１７ｂのエッジＣ３，Ｃ４を側壁１１ｃの内壁面Ｋに当接させるとともに、正極シート１５を第１，第２セパレータ１７ａ，１７ｂで包んでいる。これにより、電極組立体１２を構成する正極シート１５、負極シート１６及び第１，第２セパレータ１７ａ，１７ｂのずれを防止することもできる。
【００７３】
（１１）接合部５１は、Ｒ部１３の曲率半径Ｒを考慮して設けているので、正極シート１５のエッジＡ３，Ａ４の位置を、仮想境界面Ｆの面上の位置に維持できる。
（１２）接合部５１を正極シート１５の全周に設けているので、第１，第２セパレータ１７ａ，１７ｂで包まれた状態の正極シート１５の移動を防止することができる。したがって、正極シート１５のエッジＡ３，Ａ４の位置を、仮想境界面Ｆの面上の位置に維持できる。
【００７４】
実施形態は前記に限定されるものではなく、例えば、次のように具体化しても良い。
○  正極シート１５及び負極シート１６の積層方向がケース本体１１の開口部１１ａから底壁１１ｂに向かう方向と直交する方向となる状態で、電極組立体１２がケース本体１１に収容される二次電池１０において、スペーサ２５は独立したものを一対設ける構成に限らない。例えば、図９に示すように、底壁１１ｂと当接する部分に配置されるスペーサ２５ｂが電極組立体１２の両側の端面１２ａと当接する状態で配置される一対のスペーサ２５と一体に連続する状態に形成されたものを使用しても良い。この場合、独立した２個のスペーサ２５を設ける場合に比べて、電極組立体１２をスペーサ２５と共にケース本体１１に挿入する作業が容易になる。
【００７５】
○  また、図９に示すように、スペーサ２５と位置決め部材２４とを一体に形成してもよい。この場合、電極組立体１２に蓋体１４を組み付けた後、電極組立体１２をケース本体１１に挿入し、その状態で蓋体１４をケース本体１１に溶接で固着してもよい。
【００７６】
○  底壁１１ｂと当接するスペーサ２５ｂは、側壁１１ｃと当接するスペーサ２５と連続する構成、即ちスペーサ２５の延長部として形成される構成に限らない。例えば、図１０に示すように、スペーサ２５ｂを両側壁１１ｃの中間部に１個設けたり、あるいは複数のスペーサ２５ｂを設けたりしてもよい。この場合、電極組立体１２をケース本体１１に挿入する際は、先ずスペーサ２５ｂをケース本体１１内の底壁１１ｂ上に配置する。その後、電極組立体１２の両端面１２ａにスペーサ２５を配置した状態で、電極組立体１２をスペーサ２５と共にケース本体１１に挿入する。
【００７７】
○  スペーサ２５ｂは、必ずしも幅が電極組立体１２の厚さ以上である必要はなく、厚さより短くてもよい。この場合、正極シート１５及び負極シート１６にはスペーサ２５ｂの当接面２６に当接しないものも存在する。しかし、正極シート１５及び負極シート１６は両スペーサ２５によって両側で挟持されているため、ずれが防止される。
【００７８】
○  ケース本体１１は、絞り加工で最初から有底四角筒状に形成されたものに限らず、例えば、図１１に示すように、四角筒状体４１の一端に、底壁１１ｂとなる板材４２を溶接して有底四角筒状のケース本体１１を形成してもよい。この場合は、開口部１１ａから底壁１１ｂに向かって延びる四隅がＲ部１３に形成され、底壁１１ｂの周縁にはＲ部１３が形成されず、側壁１１ｃと底壁１１ｂとは直角を成す。したがって、電極組立体１２を絶縁フィルムで覆い、その絶縁フィルムが底壁１１ｂと接触する状態で電極組立体１２をケース本体１１に収容してもよい。この場合、底壁１１ｂと当接するスペーサ２５ｂが不要になる。
【００７９】
○  ケース本体１１は、金属板の絞り加工により四角筒状体の一端に底壁となる板状部が連続する形状に形成した後、板状部を四角筒状体の一端の開口を塞ぐ様に折り曲げた状態で溶接により固着して四角筒状体に形成してもよい。この場合は、底壁１１ｂの周縁のうち板状部を折り曲げた部分がＲ部１３となる。
【００８０】
○  ケース本体３１もケース本体１１と同様に、四角筒状体の一端に、底壁３１ｂとなる板材を溶接して有底四角筒状のケース本体３１を形成したり、四角筒状体の一端に底壁３１ｂとなる板状部が連続する形状に形成されたものからケース本体３１を形成したりしてもよい。
【００８１】
○  スペーサ２５の、Ｒ部１３と対応する部分がＲ部１３と干渉しない形状は、前記実施形態の形状に限らない。例えば、図１２（ａ）に示すように、スペーサ２５の幅方向の端部が、Ｒ部１３全体と当接する形状、即ち、スペーサ２５のＲ部１３側の面がＲ部１３に沿った形状をした面取り部としてもよい。また、図１２（ｂ）に示すように、スペーサ２５の厚さが当接面２６からケース本体１１の側壁１１ｃの壁面のＲ部１３以外の箇所までの距離Ｌより大きく形成され、幅方向の端部のＲ部１３と対向する部分にＲ部１３と当接する箇所が無いように切り欠き部２７が形成された形状としてもよい。即ち、当接面２６に直交する方向における当接面２６の位置が、ケース本体１１の壁面のうち積層方向に垂直な壁面の平面部とＲ部との境界の位置よりも平面部側に位置し、かつＲ部１３の位置にはスペーサ２５のＲ部１３側の面の全部がＲ部１３から離間した面取り部が形成された形状としてもよい。また、図１２（ｃ）に示すように、スペーサ２５の厚さは当接面２６からケース本体１１の側壁１１ｃの壁面のＲ部１３以外の箇所までの距離Ｌと同じに形成され、幅方向の端部のＲ部１３と対向する部分にＲ部１３と当接する箇所の一部を残す様に切り欠き部２７が形成された形状としてもよい。即ち、当接面２６に直交する方向における当接面２６の位置が、ケース本体１１の壁面のうち積層方向に垂直な壁面の平面部とＲ部１３との境界の位置と同じ位置で、かつＲ部１３の位置にはスペーサ２５のＲ部１３側の面の一部がＲ部１３から離間した面取り部が形成された形状としてもよい。また、切り欠き部２７はＲ部１３と対向する部分だけでなく、一部が側壁１１ｃの平面部と対向するように形成されてもよい。
【００８２】
○  第１，第２の実施形態、及び図９〜図１２の別例において電極組立体１２を構成するセパレータ１７は袋状に形成され、正極シート１５及び負極シート１６を袋状のセパレータ１７に別々に収容し、正極シート１５が収容されたセパレータ１７と、負極シート１６が収容されたセパレータ１７とが交互に積層された構成としてもよい。また、正極シート１５が収容されたセパレータ１７と、セパレータ１７に収容されていない負極シート１６とが交互に積層された構成あるいは負極シート１６が収容されたセパレータ１７と、セパレータ１７に収容されていない正極シート１５とが交互に積層された構成としてもよい。即ち、正極シート１５及び負極シート１６がシート状のセパレータ１７を間に挟んだ状態で積層されたとは、セパレータの形状を問わない。
【００８３】
○  電極組立体１２は、正極シート１５のタブ部１５ａと、負極シート１６のタブ部１６ａとが同じ側に突出する構成に限らず、反対側に突出する構成としてもよい。例えば、二次電池１０の正極端子２０及び負極端子２１が設けられている側を上側とした場合、電極組立体１２の左側及び右側の一方の側にタブ部１５ａが存在し、他方の側にタブ部１６ａが存在するように構成してもよい。この場合、スペーサ２５を有する実施形態及び別例において、スペーサ２５は一部が正極用集電端子１８及び負極用集電端子１９と対応する部分に、正極用集電端子１８及び負極用集電端子１９と干渉しない形状に切りか欠かれた切り欠き部が設けられる。したがって、正極用集電端子１８及び負極用集電端子１９が端面１２ａと対向する位置に存在しても支障はない。
【００８４】
○  タブ部１５ａ，１６ａを形成せずに、正極用集電端子１８及び負極用集電端子１９をそれぞれ正極シート１５及び負極シート１６の活物質非塗布部に溶接してもよい。
○  第２の実施形態のように、正極シート１５及び負極シート１６の積層方向がケース本体３１の開口部３１ａから底壁３１ｂに向かう方向と同じ方向になるように形成された電極組立体１２を有する二次電池１０において、蓋体３４を接触面３４ａで電極組立体１２を積極的に押圧可能な形状ではなく平面状に形成する。そして、接触面３４ａが電極組立体１２に接触した状態でケース本体３１に溶接で固着するようにしてもよい。この場合は、正極端子２０及び負極端子２１の突出側と反対側の電極組立体１２の端面と、ケース本体３１との間にスペーサを介在させることが好ましい。
【００８５】
○  図１３は、帯状の正極シート７０と帯状の負極シート７１の間に帯状のセパレータ７２を介在させ、捲回軸７３を中心として扁平状に捲回することで積層した捲回型の電極組立体７４を示す。このような電極組立体７４は、各実施形態と同様にケース本体１１に収容される。この別例では、図１４に示すように、正極シート７０の長さ方向に沿う活物質層のエッジＤ１，Ｄ２の位置が、電極組立体７４の積層方向に垂直な内壁面Ｋとコーナ面Ｃとの境界を通り、電極組立体７４の積層方向に平行な内壁面Ｋに面する仮想境界面Ｆの面上に位置している。このように第３の実施形態の構成は、積層型の電極組立体１２に限らず、捲回型の電極組立体７４をケース本体１１に収容する場合にも適用することができる。なお、図１４では、捲回軸７３の延びる方向が、正極シート１５のエッジＤ１，Ｄ２間の長さと同一方向を向くように電極組立体７４をケース本体１１に収容している。また、電極組立体７４の積層方向は、ケース本体１１の開口部１１ａから底壁１１ｂに向かう方向と直交する方向としている。また、活物質層のエッジＤ１，Ｄ２のエッジ間長さＸは、第３の実施形態で説明したように規定される。この別例において、エッジＤ１，Ｄ２の位置を、仮想境界面Ｆの位置よりも平行な内壁面Ｋから離れた領域としても良い。
【００８６】
○  図１５及び図１６は、円筒型の二次電池８０を示す。円筒型の二次電池８０のケース本体８１には、帯状の正極シート８２と帯状の負極シート８３の間に帯状のセパレータ８４を介在させ、捲回軸８５を中心として捲回することで積層した電極組立体８６が収容されている。電極組立体８６は、円柱状や角柱状でも良く、また他の形状でも良い。ケース本体８１は、円形の底壁８１ａに円筒状の側壁８１ｂが立設されている。また、二次電池８０では、底壁８１ａの反対側に位置するケース本体８１の開口部を蓋体８１ｃで塞いでいる。ケース本体８１では、電極組立体８６の積層方向に垂直な側壁８１ｂの内壁面Ｋと、電極組立体８６の積層方向に平行な底壁８１ａの内壁面Ｋとが、底壁８１ａと側壁８１ｂを繋ぐ角部（Ｒ部１３）の内側の壁面であるコーナ面Ｃで繋がっている。この別例のケース本体８１では、電極組立体８６の積層方向に垂直な内壁面Ｋとコーナ面Ｃとの境界線を通り、電極組立体８６の積層方向に平行な内壁面Ｋに面する面を仮想境界面Ｆと規定する。この場合、電極組立体８６をケース本体８１に収容した際には、底壁８１ａの内壁面Ｋに面する正極シート８２の活物質層のエッジＥが、仮想境界面Ｆの面上に位置している。このように第３の実施形態の構成は、積層型の電極組立体１２に限らず、円筒型の二次電池８０の電極組立体８６をケース本体８１に収容する場合にも適用することができる。電極組立体８６の積層方向は、ケース本体８１の開口部から底壁８１ａに向かう方向と直交する方向である。この別例において、エッジＥの位置を、仮想境界面Ｆの位置よりも平行な内壁面Ｋから離れた領域としても良い。
【００８７】
○  図１５及び図１６の別例は円筒型の二次電池８０で説明したが、図１３及び図１４で説明した捲回型の電極組立体７４をケース本体１１に収容する際、その捲回軸７３の方向をケース本体１１の開口部１１ａから底壁１１ｂに向かう方向とした場合は、図１５及び図１６の別例の構成を同様に適用することができる。つまり、ケース本体１１において電極組立体７４の積層方向に垂直な内壁面Ｋとコーナ面Ｃとの境界線を通り、電極組立体７４の積層方向に平行な内壁面Ｋに面する仮想境界面Ｆの面上に、正極シートのエッジを位置させる。又は、正極シートのエッジを仮想境界面Ｆから離れた領域に位置させる。
【００８８】
○  第３の実施形態において、正極シート１５のエッジＡ３，Ａ４は、仮想境界面Ｆの面上の位置よりもエッジＡ３，Ａ４が対向する側壁１１ｃの内壁面Ｋから離れた領域に位置させても良い。この場合、正極シート１５のエッジＡ３，Ａ４間の長さは、これらのエッジＡ３，Ａ４が仮想境界面Ｆの面上に位置している場合に比して短くなる。また、このように構成する場合、接合部５１の長さは、Ｒ部１３の曲率半径Ｒよりも長くなる。
【００８９】
○  第３の実施形態において、第１，第２セパレータ１７ａ，１７ｂの接合部５１の位置を変更しても良い。具体的に例示すると、正極シート１５の正極活物質層１５ｂのエッジＡ１〜Ａ４のうち、対向するエッジＡ３，Ａ４からはみ出すはみ出し部５０ｃ，５０ｄを接合しても良い。
【００９０】
○  第３の実施形態において、第１，第２セパレータ１７ａ，１７ｂは、溶着に限らず、接着などの他の手法を用いて接合しても良い。つまり、電極組立体１２をケース本体１１に収容した際、正極シート１５の正極活物質層１５ｂのエッジＡ３，Ａ４の位置が維持されるのであれば、接合の方法は溶着に限定されない。
【００９１】
○  第３の実施形態のセパレータ１７は、折り畳んだ場合に正極シート１５の両面を覆う大きさの１枚のセパレータ１７としても良い。このようなセパレータ１７を採用した場合は、接合部５１の箇所を減らすことができる。
【００９２】
○  第３の実施形態において、正極シート１５の正極活物質層１５ｂのエッジＡ１を金属箔１５ｃのエッジと重ねても良い。同様に、負極シート１６の負極活物質層１６ｂのエッジＢ１を金属箔１６ｃのエッジと重ねても良い。
【００９３】
○  ケース本体１１の角部の形状をＲ形状に代えて、Ｃ面取り形状としても良い。
○  ケース本体１１の角部の大きさは、全て同一の大きさに限らず、異なる大きさとしても良い。例えば、電極組立体１２の積層方向に平行な内壁面Ｋと垂直な内壁面Ｋを繋ぐ角部の大きさを、正極シート１５の正極活物質層１５ｂのエッジＡ３側とエッジＡ４側とで異なる大きさとしても良い。
【００９４】
○  電極組立体１２を構成する正極シート１５、及び負極シート１６の形状は、正面視長方形状に限らず、正面視正方形状としても良い。
○  正極シート１５の金属箔１５ｃの形状を正極活物質層１５ｂよりも大きくすることで、正極活物質層１５ｂのエッジＡ１〜Ａ４と金属箔１５ｃのエッジの位置を異ならせても良い。同様に、負極シート１６の金属箔１６ｃの形状を負極活物質層１６ｂよりも大きくすることで、負極活物質層１６ｂのエッジＢ１〜Ｂ４と金属箔１６ｃのエッジの位置を異ならせても良い。
【００９５】
○  例えば、第１の実施形態の構成と第３の実施形態の構成を組み合わせても良い。具体的に例示すると、スペーサ２５を一方の片側に介装させ、他方の片側においては負極シート１６とセパレータ１７のエッジを対向する壁面に当接させても良い。このように構成した場合であっても、正極シート１５のエッジＡ３，Ａ４は、仮想境界面Ｆの面上か、仮想境界面Ｆの位置よりも電極組立体１２の積層方向に平行な内壁面Ｋから離れた領域に位置することができる。
【００９６】
○  車両は走行用モータを備えた一般の車両やフォークリフトに限らず、例えば、ショベルローダーやトーイングトラクター等の他の産業車両であってもよい。また、運転者を必要とする車両に限らず無人搬送車でもよい。
【００９７】
○  蓄電装置は、二次電池１０に限らず、例えば、電気二重層キャパシタやリチウムイオンキャパシタ等のようなキャパシタであってもよい。
以下の技術的思想（発明）は前記実施形態から把握できる。
【００９８】
（イ）有底四角筒状で、かつ少なくとも開口部から底壁に向かって延びる四隅が前記四隅の延びる方向に垂直な断面においてＲ形状をしたＲ部に形成されたケース本体と、前記ケース本体内に収容され、正極シート及び負極シートがシート状のセパレータを間に挟んだ状態で積層された積層型の電極組立体と、前記ケース本体の前記開口部を塞ぐ蓋体と、前記電極組立体の端面のうち、前記正極シート、前記負極シート及び前記セパレータの積層方向と平行で、かつ前記開口部及び前記底壁と直交する方向と平行な端面と、該端面と対向する前記ケース本体の壁面との間に介装されたスペーサとを備え、前記スペーサは、前記電極組立体の端面と当接する当接面の前記積層方向の幅が前記電極組立体の厚さ以上で、前記当接面に直交する方向における前記当接面の位置が、前記ケース本体の壁面のうち前記積層方向に垂直な壁面の平面部と前記Ｒ部との境界の位置と同じ位置か、前記境界の位置よりも前記平面部側に位置し、かつ前記Ｒ部の位置には前記スペーサの前記Ｒ部側の面が前記Ｒ部に沿った形状をした面取り部または前記スペーサの前記Ｒ部側の面の少なくとも一部が前記Ｒ部から離間した面取り部が形成されていることを特徴とする蓄電装置。
【００９９】
上記技術的思想（イ）では、有底四角筒状で、かつ少なくとも開口部から底壁に向かって延びる四隅が四隅の延びる方向に垂直な断面においてＲ形状をしたＲ部に形成されたケース本体に、積層型の電極組立体が収容されており、電極組立体を構成する複数枚の正極シート及び負極シートのうちの一部はＲ部と対向する状態となる。しかし、電極組立体とＲ部との間にはスペーサが存在するため、正極シートとセパレータ間あるいは負極シートとセパレータ間のずれが防止される。また、スペーサは、従来技術のスペーサと異なり、電極組立体の端面と当接する当接面の正極シート、負極シート及びセパレータの積層方向の幅が電極組立体の厚さ以上で、当接面に直交する方向における当接面の位置が、ケース本体の壁面のうち前記積層方向に垂直な壁面の平面部とＲ部との境界の位置と同じ位置か、境界の位置よりも平面部側に位置し、かつＲ部の位置にはスペーサのＲ部側の面がＲ部に沿った形状をした面取り部またはスペーサのＲ部側の面の少なくとも一部がＲ部から離間した面取り部が形成されている。即ち、Ｒ部と対応する部分がＲ部と干渉しない形状に形成されているため、正極シートや負極シートに無理な力が加わらず、Ｒ部からスペーサに作用する力が電極組立体に悪影響を与えない。
【０１００】
（ロ）前記ケース本体は、前記底壁の各周縁も前記各周縁の延びる方向に垂直な断面においてＲ形状をしたＲ部に形成されている前記技術的思想（イ）に記載の蓄電装置。
（ハ）前記電極組立体は、前記正極シート、前記負極シート及び前記セパレータの積層方向が前記ケース本体の前記開口部から前記底壁に向かう方向と直交する方向である前記技術的思想（イ）又は（ロ）に記載の蓄電装置。
【０１０１】
（ニ）前記スペーサは、前記ケース本体の底壁と前記電極組立体との間に介装される延長部を有し、前記延長部が前記スペーサに連続して形成されている前記技術的思想（ハ）に記載の蓄電装置。
【０１０２】
（ホ）前記スペーサを前記電極組立体の前記正極シート、前記負極シート及び前記セパレータの積層方向と直交する状態で厚さ方向に切断した断面形状は、前記Ｒ部と対向する部分の外形線が直線に形成されている前記技術的思想（イ）〜（ニ）のいずれか一項に記載の蓄電装置。
【０１０３】
（ヘ）前記技術的思想（イ）又は（ロ）に記載の発明において、前記電極組立体は、前記正極シート、前記負極シート及び前記セパレータの積層方向が前記ケース本体の前記開口部から前記底壁に向かう方向と同じ方向である。
【符号の説明】
【０１０４】
１０，８０…蓄電装置としての二次電池、１１，３１，８１…ケース本体、１１ａ，３１ａ…開口部、１１ｂ，３１ｂ，８１ａ…底壁、１１ｃ，３１ｃ，８１ｂ…側壁、１２，７４，８６…電極組立体、１２ａ…端面、１３…Ｒ部、１４，３４，８１ｃ…蓋体、１５，７０，８２…正極シート、１５ｂ…正極活物質層、１６，７１，８３…負極シート、１６ｂ…負極活物質層、１７，７２，８４…セパレータ、１７ａ…第１セパレータ、１７ｂ…第２セパレータ、２５，２５ｂ…スペーサ、２６…当接面、５０ａ〜５０ｄ…はみ出し部、Ａ１〜Ａ４，Ｂ１〜Ｂ４，Ｃ１〜Ｃ４，Ｅ，Ｄ１，Ｄ２…エッジ、Ｆ…仮想境界面、Ｋ…内壁面、Ｃ…コーナ面、Ｒ…曲率半径、Ｘ…エッジ間長さ、Ｙ…面間長さ、Ｗ…面間長さ。
【図１】
0005397528.tif 000002
【図２】
0005397528.tif 000003
【図３】
0005397528.tif 000004
【図４】
0005397528.tif 000005
【図５】
0005397528.tif 000006
【図６】
0005397528.tif 000007
【図７】
0005397528.tif 000008
【図８】
0005397528.tif 000009
【図９】
0005397528.tif 000010
【図１０】
0005397528.tif 000011
【図１１】
0005397528.tif 000012
【図１２】
0005397528.tif 000013
【図１３】
0005397528.tif 000014
【図１４】
0005397528.tif 000015
【図１５】
0005397528.tif 000016
【図１６】
0005397528.tif 000017
【図１７】
0005397528.tif 000018